(57)【要約】      （修正有）【課題】  生体データ測定用具として尿糖測定装置を備える健康管理システムであって、被検者に時間の無駄遣いをさせないシステムを提供する。【解決手段】  採尿部が便器に取り付けられた尿糖測定装置と、手洗器前方の床に埋設された体重計と、メインパネルに一体化された体脂肪計と、尿糖測定装置の操作部の近傍に配設去れた血圧計と、鏡と手洗器の間に配設されたメインパネルを備え、これらの装置がトイレ内に配設されており、前記尿糖測定装置で測定された尿糖値と体重計で測定された体重値と体脂肪計で測定された体脂肪値と血圧計で測定された血圧値の信号を前記メインパネルに送信し表示する健康管理システム。【選択図】  図２
2006017560.tif 000002
【特許請求の範囲】
【請求項１】
採尿部が便器に取り付けられた尿糖測定装置と、尿糖測定装置が測定した尿糖値を表示するメインパネルとを備え、メインパネルは手洗器の近傍に配設されていることを特徴とする健康管理システム。
【請求項２】
手洗器はトイレ内に配設されていることを特徴とする請求項１に記載の健康管理システム。
【請求項３】
メインパネルは、上下に配設された鏡と手洗器との間に配設されていることを特徴とする請求項１又は２に記載の健康管理システム。
【請求項４】
採尿部が便器に取り付けられた尿糖測定装置と、尿糖測定装置が測定した尿糖値を表示するメインパネルとを備え、メインパネルは被検者が立位で見易い高さ位置に配設されていることを特徴とする健康管理システム。
【請求項５】
尿糖測定装置の計測部は、便器後方に配設されたキャビネット内に収納されており、尿糖測定装置の操作部は、便器近傍の壁面に取り付けられていることを特徴とする請求項１乃至４の何れか１項に記載の健康管理システム。
【請求項６】
体重計を備え、体重計は手洗器前方の床に埋設されており、メインパネルは体重計の測定データを表示することを特徴とする請求項１乃至５の何れか１項に記載の健康管理システム。
【請求項７】
体脂肪計を備え、メインパネルは、体脂肪計と一体化されており、体脂肪率を表示することを特徴とする請求項１乃至６の何れか１項に記載の健康管理システム。
【請求項８】
血圧計を備え、血圧計は尿糖測定装置の操作部の近傍に配設されており、メインパネルは血圧計の測定データを表示することを特徴とする請求項５に記載の健康管理システム。
【発明の詳細な説明】
【技術分野】
【０００１】
本発明は、健康管理システムに関するものである。
【背景技術】
【０００２】
自動洗浄便座に組み込まれた生体データ測定用具と、自動洗浄便座のリモコンを兼ねるメインパネルとを備え、メインパネルは、生体データ測定用具と通信を行い、生体データ測定用具が測定した生体データを表示する健康管理システムが特許文献１に開示されている。
【特許文献１】特開２００３−０９３３４９
【発明の開示】
【発明が解決しようとする課題】
【０００３】
昨今の肥満の増加と、肥満に伴う糖尿病の増加とに鑑みると、生体データ測定用具として尿糖測定装置を備える健康管理システムの構築は、人々の健康促進に資するところ大であると考えられる。尿糖測定装置は、便器に近接して配設するのが妥当である。特許文献１のように、便座に着座した状態で操作される自動洗浄便座のリモコンがメインパネルを構成していると、尿糖測定装置においては一般に測定から尿糖値表示まで時間が掛かるため、被検者は尿糖値が表示されるまで便座に座ったまま無為な時間を過ごさねばならず、時間の無駄になる。
本発明は上記問題に鑑みてなされたものであり、生体データ測定用具として尿糖測定装置を備える健康管理システムであって、被検者に時間の無駄遣いをさせないシステムを提供することを目的とする。
【課題を解決するための手段】
【０００４】
上記課題を解決するために、本発明においては、採尿部が便器に取り付けられた尿糖測定装置と、尿糖測定装置が測定した尿糖値を表示するメインパネルとを備え、メインパネルは手洗器の近傍に配設されていることを特徴とする健康管理システムを提供する。
本発明に係る健康管理システムにおいては、メインパネルは手洗器の近傍に配設されているので、便器に取り付けられた尿糖測定装置の採尿部に尿を投入した被検者が便座から離れ、手洗器まで移動し手洗器で手を洗っている頃に、被検者の近傍に在るメインパネルに尿糖値が表示されることになる。被検者は尿糖測定後、有為な時間を過ごしつつ尿糖値の表示を待つので、時間の無駄遣いをしなくて済む。
【０００５】
本発明の好ましい態様においては、手洗器はトイレ内に配設されている。
手洗器がトイレ内に配設されている場合には、家庭用トイレでは一般にトイレは一人の使用者により占有されるので、尿糖値を他者に見られるおそれが無く、被検者のプライバシーが保たれる。
【０００６】
本発明の好ましい態様においては、メインパネルは、上下に配設された鏡と手洗器との間に配設されている。
手洗器の上方に鏡が配設されている場合には、鏡と手洗器の間にメインパネルを配設すれば、手を洗うために被検者が上体をやや斜めに傾けた際に視線の先にメインパネルが位置することになる。この結果、メインパネルの視認性が向上する。
【０００７】
本発明においては、採尿部が便器に取り付けられた尿糖測定装置と、尿糖測定装置が測定した尿糖値を表示するメインパネルとを備え、メインパネルは被検者が立位で見易い高さ位置に配設されていることを特徴とする健康管理システムを提供する。
本発明に係る健康管理システムにおいては、メインパネルは被検者が立位で見易い高さ位置に配設されているので、便器に取り付けられた尿糖測定装置の採尿部に尿を投入した被検者が便座から立ち上がり、便器洗浄を行い或いは着衣を整えている頃に、立位で見易い高さ位置に配設されたメインパネルに尿糖値が表示されることになる。被検者は尿糖測定後、有為な時間を過ごしつつ尿糖値の表示を待つので、時間の無駄遣いをしなくて済む。
【０００８】
本発明の好ましい態様においては、尿糖測定装置の計測部は、便器後方に配設されたキャビネット内に収納されており、尿糖測定装置の操作部は、便器近傍の壁面に取り付けられている。
尿糖測定装置の採尿部は便器に取り付けられているので、尿糖測定装置の操作部と計測部とは便器の近傍に配設するのが望ましい。計測部を便器後方のキャビネット内に収納すれば、計測部を採尿部に近接配置でき、且つ計測部を偶発的な外力から保護することができる。また便器周りがすっきりし清掃性が向上する。操作部が便器近傍の壁面に取り付けられていれば、被検者は便座に座った状態で、操作部を容易に手動操作することができ、便利である。
【０００９】
本発明の好ましい態様においては、健康管理システムは体重計を備え、体重計は手洗器前方の床に埋設されており、メインパネルは体重計の測定データを表示する。
体重計が手洗器前方の床に埋設されていれば、被検者は、手を洗う際に体重計に乗って体重を測定することができるので便利である。メインパネルに体重計の測定データが表示されれば、被検者は、尿糖値に加えて体重を確認できるので便利である。
【００１０】
本発明の好ましい態様においては、健康管理システムは体脂肪計を備え、メインパネルは、体脂肪計と一体化されており、体脂肪率を表示する。
健康管理システムが体脂肪計を備えれば、被検者は尿糖値に加えて体脂肪率を確認できるので便利である。体脂肪計とメインパネルとが一体化されていれば、両者を別体とする場合に比べて、システムが小型化され、両者を接続する外部配線の取り回しスペースが不要になり、健康管理システムを配設したスペースの狭小化が抑制される。
【００１１】
本発明の好ましい態様においては、健康管理システムは、血圧計を備え、血圧計は尿糖装置の操作部の近傍に配設されており、メインパネルは血圧計の測定データを表示する。
血圧計が、便器近傍の壁面に取り付けられた尿糖装置の操作部の近傍に配設されていれば、被検者は、便座に座った状態で血圧を計れるので便利である。
【発明の効果】
【００１２】
本発明に係る健康管理システムにおいては、メインパネルは手洗器の近傍に配設されているので、便器に取り付けられた尿糖測定装置の採尿部に尿を投入した被検者が便座から離れ、手洗器まで移動し手洗器で手を洗っている頃に、被検者の近傍に在るメインパネルに尿糖値が表示されることになる。被検者は尿糖測定後、有為な時間を過ごしつつ尿糖値の表示を待つので、時間の無駄遣いをしなくて済む。
【００１３】
本発明の実施例に係る健康管理システムを説明する。
【実施例１】
【００１４】
図１、２に示すように、健康管理システムＡは、医療用具である尿糖計１、血圧計２と、健康用具である体重計３、体脂肪計４と、メインパネル５とを備えている。健康管理システムＡはトイレ室Ｂ内に配設されている。
【００１５】
尿糖計１は有線式のリモコン操作部１ａと、採尿部１ｂと、センサーを有する計測部１ｃとを有している。操作部１ａは便器６の一方の側方で便器６に近接するトイレ側壁７に取り付けられ、採尿部１ｂは便器６に取り付けられ、計測部１ｃは便器６後方のキャビネット８内に配設されている。
便座に着座した被検者が操作部１ａを手動操作して計測部１ｃを起動させ、採尿部１ｂから図示しない採尿器を採尿位置まで引き出し、採尿器に尿を投入すると、尿は計測部１ｃへ送られる。計測部１ｃは、センサーを用いて尿の物理的、化学的性質を測定し、尿糖値を演算する。尿糖値は、赤外線、無線、有線等による一方向通信により、メインパネル５に送信される。
【００１６】
血圧計２は操作部２ａとセンサー２ｂとを有している。操作部２ａとセンサー２ｂとは、前記トイレ側壁７に取り付けられたカウンター９が有する収容器に収容されている。血圧計２は、尿糖計の操作部１ａの近傍に配設されている。
便座に着座した被検者が操作部２ａを手動操作してセンサー２ｂを起動させ、センサー２ｂを収容器から取り出して手首に装着し、腕をカウンター９に置くと、センサー２ｂは被検者の血圧を測定する。血圧値は、赤外線、無線、有線等による一方向通信により、メインパネル５に送信される。
【００１７】
体重計３はセンサー３ａを有している。センサー３ａは、便器６の他方の側方で便器６から離隔するトイレ側壁１０に取り付けられた手洗器１１前方のトイレ床に埋設されている。
被検者が立位で手を洗う際にセンサー３ａに乗ると、センサー３ａは被検者の体重を測定する。体重値は、赤外線、無線、有線等により、メインパネル５に送信される。
【００１８】
体脂肪計４はセンサー４ａと演算部４ｂとを有している。センサー４ａ、演算部４ｂは手洗器１１の上方に配設されている。体脂肪計４は、メインパネル５と一体に形成されている。体脂肪計４の操作部はメインパネル５が有している。
被検者が立位で手を洗う際に、メインパネル５が有する体脂肪計４の操作部を手動操作してセンサー４ａと演算部４ｂとを起動させる。被検者が体重計のセンサー３ａに乗り、体脂肪計の一対のセンサー４ａを両手で握ると、センサー４ａは被検者の電気抵抗値を測定する。体重計３からメインパネル５に送信された被検者の体重値が、赤外線、無線、有線等によりメインパネル５から体脂肪計４に送信される。体脂肪計の演算部４ｂは、センサー４ａが測定した被検者の電気抵抗値と、メインパネル５から受信した被検者の体重値と、予めメインパネル５に入力した身長、年齢、性別等の個人情報とに基づいて、被検者の体脂肪率を演算する。体脂肪率値は、赤外線、無線、有線等により、メインパネル５に送信される。
【００１９】
メインパネル５は、表示部５ａと、複数の個人認証スイッチ５ｂと、認証された個人の生体データを記憶するメモリー５ｃと、個人情報入力スイッチ５ｄと、体脂肪計４の操作部５ｅとを有している。
メインパネル５は、手洗器１１と、手洗器１１の上方でトイレ側壁１０に取り付けられた鏡１２との間に配設されて、トイレ側壁１０に取り付けられている。
被検者の尿糖値、血圧値、体重値、体脂肪率値は、表示部５ａに表示される。
被検者は、個人情報入力スイッチ５ｄを操作して年齢、性別、身長等の個人情報を入力することができる。個人情報は表示部５ａに表示される。
被検者は個人認証スイッチ５ｂの何れかを操作してメインパネル５に自身を認証させることができる。被検者は、表示部５ａに表示された個人情報と、尿糖値、血圧値、体重値、体脂肪率値等の被検者個人の生体データとを、認証された自分のデータとしてメモリー５ｃに記憶させることができる。
【００２０】
健康管理システムＡにおいては、メインパネル５は手洗器１１の近傍に配設されているので、便器６に取り付けられた尿糖計１の採尿部１ｂに尿を投入した被検者が便座から立ち上がり、手洗器１１まで移動し手洗器１１で手を洗っている頃に、メインパネル５に尿糖値が表示されることになる。被検者は尿糖測定後、有為な時間を過ごしつつ尿糖値の表示を待つので、時間の無駄遣いをしなくて済む。
【００２１】
家庭用トイレでは一般にトイレは一人の使用者により占有される。健康管理システムＡにおいては、手洗器１１がトイレＢ内に配設されているので、尿糖値を他者に見られるおそれが無く、被検者のプライバシーが保たれる。
【００２２】
健康管理システムＡにおいては、メインパネル５は、上下に配設された鏡１２と手洗器１１との間に配設されているので、被検者が手を洗うために上体をやや斜めに傾けた際に、視線の先にメインパネル５が位置することになる。この結果、メインパネル５の視認性が向上する。
【００２３】
健康管理システムＡにおいては、尿糖計１の採尿部１ｂを便器６に取り付けたので、尿糖計の操作部１ａと計測部１ｃとは便器６の近傍に配設するのが望ましい。計測部部１ｃは、便器６後方のキャビネット７内に収納されることにより、便器６に近接配置され、且つ偶発的な外力から保護されている。また便器周りがすっきりし清掃性が向上している。操作部１ａは便器６近傍のトイレ側壁８に取り付けられており、被検者は便座に座った状態で、操作部１ａを容易に手動操作することができ、便利である。
【００２４】
健康管理システムＡにおいては、体重計３が手洗器１１前方のトイレ床に埋設されており、被検者は、手洗器１１で手を洗う際に体重計３に乗って体重を測定することができるので、便利である。メインパネル５に体重計の測定データが表示され、被検者は、手を洗いながら、尿糖値に加えて体重を確認できるので、便利である。
【００２５】
健康管理システムＡにおいては、被検者は尿糖値に加えて体脂肪率を確認できるので便利である。体脂肪計４とメインパネル５とが一体化されているので、両者を別体とする場合に比べて、システムが小型化され、健康管理システムを配設することによるトイレＢのスペースの狭小化が抑制されている。
【００２６】
健康管理システムＡにおいては、血圧計２が、便器６近傍のトイレ側壁７に取り付けられた尿糖装置の操作部１ａの近傍に配設されており、被検者は、便座に座った状態で血圧を計れるので便利である。
【実施例２】
【００２７】
手洗器１１は、トイレ室Ｂの外に在っても良い。この場合、体重計３、体脂肪計４、メインパネル５、鏡１２等も、手洗器１１と共にトイレ室Ｂの外に移動することになる。
【実施例３】
【００２８】
メインパネル５を、手洗器１１とは関わりなく、トイレ室Ｂ内或いはトイレ室Ｂ外の、被検者が立位で見易い高さ位置に配設しても良い。
メインパネル５が、被検者が立位で見易い高さ位置に配設されていれば、便器６に取り付けられた尿糖計１の採尿部１ｂに尿を投入した被検者が便座から立ち上がり、便器洗浄を行い或いは着衣を整えている頃に、立位で見易い高さ位置に配設されたメインパネル５に尿糖値が表示されることになる。被検者は尿糖測定後、有為な時間を過ごしつつ尿糖値の表示を待つので、時間の無駄遣いをしなくて済む。
【実施例４】
【００２９】
メインパネル５を、健康用具である体脂肪計４と別体にしても良い。
メインパネル５が、体脂肪計４と別体であれば、メインパネル５の設置位置の制約が少なくなり、最も使い勝手の良い位置、例えばカウンター９上に、メインパネル５を設置することが可能になる。この結果、健康管理システムの利便性が更に向上する。尚この場合、体脂肪計４の操作部は、メインパネル５ではなく体脂肪計４が有するように構成するのが望ましい。
【実施例５】
【００３０】
実施例１〜４において、血圧計２以外の医療用具をメインパネル５に接続しても良く、体重計３、体脂肪計４以外の健康用具をメインパネル５に接続しても良い。
メインパネル５に接続される医療用具、健康用具の数は２に限定されない。
【実施例６】
【００３１】
体重計３で測定した体重を、体脂肪計４に手動入力するように構成しても良い。
【産業上の利用可能性】
【００３２】
本発明は、尿糖測定装置と、尿糖測定装置が測定した尿糖値を表示するメインパネルとを備える健康管理システムに、利用可能である。
【図面の簡単な説明】
【００３３】
【図１】本発明の第１実施例に係る健康管理システムのブロック図である。
【図２】本発明の第１実施例に係る健康管理システムの機器配置を示すトイレ室の斜視図である。
【符号の説明】
【００３４】
１  尿糖計
２  血圧計
３  体重計
４  体脂肪計
５  メインパネル
６  便器
７  キャビネット
８、１０  トイレ側壁
９  カウンター
１１  手洗器
１２  鏡
【図１】
2006017560.tif 000003
【図２】
2006017560.tif 000004